(57)【要約】【課題】予め作成した標準の浄化槽チェックシートから各浄化槽に応じた浄化槽チェックシートを自動的に抽出し、簡単に各浄化槽用のチェックシートを作成して浄化槽を管理することが可能な浄化槽管理システムの提供。【解決手段】設置する浄化槽に関するメーカ、型式、認定番号、槽個別容量、ブロワ、スクリーン、破砕機、ポンプを含む浄化槽情報を入力する手段、入力された浄化槽情報を出力する手段を備えた工事業者用コンピュータ１と、浄化槽およびこれに付設するブロワ、スクリーン、破砕機、ポンプを含む機器類ごとにそれぞれ作成された標準の浄化槽チェックシートを蓄積する手段、工事業者用コンピュータ１により出力された浄化槽情報を取得する手段、取得した浄化槽情報に基づいて標準の浄化槽チェックシートから該当する浄化槽のチェックシートを抽出する手段、抽出された浄化槽チェックシートを出力する手段を備えた管理業者用コンピュータ２からなる。【選択図】  図１
2005279440.tif 000002
【特許請求の範囲】
【請求項１】
浄化槽工事業者用コンピュータおよび浄化槽管理業者用コンピュータからなり、
前記浄化槽工事業者用コンピュータは、設置する浄化槽に関するメーカ、型式、認定番号、槽個別容量、ブロワ、スクリーン、破砕機、ポンプを含む浄化槽情報を入力する手段、入力された浄化槽情報を記憶する手段、前記記憶された浄化槽情報を出力する手段を備え、
前記浄化槽管理業者用コンピュータは、浄化槽およびこれに付設するブロワ、スクリーン、破砕機、ポンプを含む機器類ごとにそれぞれ作成された標準の浄化槽チェックシートを蓄積する手段、前記浄化槽工事業者用コンピュータにより出力された前記浄化槽情報を取得する手段、前記取得した浄化槽情報に基づいて前記標準の浄化槽チェックシートから該当する浄化槽のチェックシートを抽出する手段、前記抽出された浄化槽チェックシートを出力する手段を備えた
ことを特徴とする浄化槽管理システム。
【請求項２】
前記浄化槽工事業者用コンピュータは、前記浄化槽情報に基づいて浄化槽設置届出書を作成し、前記浄化槽管理業者用コンピュータへ転送する手段を備えたものである請求項１記載の浄化槽管理システム。
【請求項３】
前記浄化槽管理業者用コンピュータは、前記浄化槽工事業者用コンピュータにより転送された浄化槽設置届出書に認証済みの情報を付加して前記浄化槽工事業者用コンピュータへ返送する手段を備えたものである請求項２記載の浄化槽管理システム。
【発明の詳細な説明】
【技術分野】
【０００１】
本発明は、個人住宅や地域に分散する施設等の浄化槽を巡回して点検や保守などを行い、またはこれらの浄化槽の検査や清掃などを行い、その場で報告書等の作成作業を行って管理するための浄化槽管理システムに関する。
【背景技術】
【０００２】
上下水道は古くから発達してきており、人社会にとって不可欠のものである。下水道については、環境の汚染を防止する意味で、今日では特に重要なものとなっている。汚水を受け入れてから処理して排水するまでの汚水処理システムとして、大都市では大規模な下水システムが発達しているが、建物や施設が分散している地域ではコストの面から大規模な下水道を敷設するのは困難であり、分散型の浄化槽システムが使われることが多くなっている。
【０００３】
個人住宅や地域の施設で使われる浄化槽システムは、処理能力や処理内容によって構成が様々であり、また同じような規模であっても用いられる機器のメーカなどが異なるため、ほとんどの浄化槽は構成が異なっているといっても過言ではない。一方、浄化槽は１年に数回は点検し、状況に応じて清掃、調整などの保守を行うことが義務づけられており、その実務は地域の組織や企業に委託されている。そして複数の企業が分担して管理をしていることが多い。このような背景にあって、従来の浄化槽の管理は次のようにして行われている。
【０００４】
個人住宅や地域の施設等が建設されて浄化槽が設置されると、その浄化槽の処理能力や処理内容、規模、構成に基づいて管理すべき事項がリストアップされ、管理業者用の浄化槽チェックリストが作成される。その場合、用いる設備、機器を一つ一つ洗い出して各々について管理すべき事項をリストアップしている。こうして作成された各々の浄化槽の浄化槽チェックリストが管理を委託された企業の管理棟に保存され、管理するときに持ち出して使われる。
【０００５】
浄化槽を管理するときは、委託された企業が１日で管理する複数の浄化槽の浄化槽チェックリストを抽出し、作業者がそれを持って巡回用の車に乗り、巡回する。巡回するときは始めに浄化槽の巡回順序を決め、その順番で巡回する。浄化槽の設置場所に着くと、その浄化槽に該当するシートを選択し、表示されている項目ごとに管理のための作業を実施する。そして、シートの当該箇所に実施した旨を記入し、全項目が終わるまで同じことを繰り返す。依頼元から料金を受け取った場合は、料金を収納したことも浄化槽チェックシートに記載する。浄化槽の管理が終わると、リストを見て管理が終わっていない次の順番の浄化槽を見出し、その場所を探して車で移動する。そして前の浄化槽と同様の作業を繰り返して管理する。リストに記載された全ての浄化槽の管理を終えると、持ちかえって浄化槽チェックシートの整理をして、その後のために必要とする集計等の計算をする。水質検査機関による浄化槽の検査についても同様の手順により行う。
【０００６】
本発明者らは、上記浄化槽チェックシートを効率よく、確実に作成できるようにするとともに、浄化槽の管理を、安全で確実に、かつ効率よくできるようにすることを目的として、特許文献１に記載の浄化槽管理システムを開発した。
【０００７】
図２は特許文献１に記載の浄化槽管理システムによる浄化槽チェックシートの作成について説明するための図であって、（ａ）は予め作成された標準浄化槽チェックシート、（ｂ）は（ａ）の標準浄化槽チェックシートから各浄化槽に応じて作成された浄化槽チェックシートを示している。
【０００８】
個人住宅や地域の施設で使われる浄化槽システムは、処理能力や処理内容によって構成が様々であり、また同じような規模であっても用いられる機器のメーカなどが異なるため、ほとんどの浄化槽は構成が異なっているといっても過言ではない。そこで、特許文献１の浄化槽管理システムでは、広く使われる浄化槽の中から標準的な構成を有するいくつかの浄化槽を決めておき、その標準浄化槽の点検や保守などの管理事項を決めたチェックシートを始めに作成しておく。その管理事項の順番についても、効率よく実施できるよう順番を十分検討して決めておく。このようにして予め定められた多数の標準浄化槽チェックシートの一例が図２の（ａ）である。
【０００９】
そして、新しく浄化槽の管理をすることになり、その構成等からみて最も近いということで選ばれた標準浄化槽のチェックシートが（ａ）であったとする。このチェックシートには標準浄化槽の管理事項が記載され、（１）駐車、（２）挨拶、から（１３）完了通知比較、まで順番も決められている。管理事項の中には下位の管理事項が決められているものもある。例えば、（２）挨拶、については、（２０１）異常臭気、から（２０７）設置者に報告、までの下位事項が順番に決められている。
【００１０】
新しい浄化槽の浄化槽チェックシートを作るときは、この標準浄化槽チェックシートの管理事項が異なっているところを修正すればよく、この例の場合、標準浄化槽チェックシートの（２０５）流入管路、マンホール周辺路面の異常、（５０１）水質測定器の調整、が削除され、新たに（６１０）ブロワ、（６１１）換気装置、（７１１）ブロワ、（７１２）換気装置、が追加され（ｂ）の浄化槽チェックシートが作られている。
【００１１】
このように、予め作られた多数の標準浄化槽チェックシートから構成等が最も近い浄化槽のチェックシートを抽出して修正すれば新規に管理する浄化槽のチェックシートができあがるので、漏れが少なくなり、作成する時間も短時間で済む。
【００１２】
【特許文献１】特開２００２−２３０１４５号公報
【発明の開示】
【発明が解決しようとする課題】
【００１３】
ところが、上記従来の浄化槽システムでは、管理する浄化槽の構成等からみて最も近い標準の浄化槽を、その管理を委託された保守点検業者（管理業者）が選択する必要がある。委託された保守点検業者は、浄化槽工事業者によって作成された浄化槽設置届出書に記載された情報に基づいて標準浄化槽チェックシートから必要な浄化槽チェックシートを抽出する。
【００１４】
浄化槽設置届出書は、浄化槽を設置した浄化槽工事業者が設置者（利用者）に代わって作成し、行政機関（各都道府県の保健福祉環境事務所（保健所）等）に提出する。この浄化槽設置届出書の提出には、保守点検業者の印鑑が必要であるため、行政機関への提出前にこの浄化槽設置届出書が保守点検業者の所へと回ってくる。
【００１５】
このときに、保守点検業者は、浄化槽設置届出書を見ながら必要な浄化槽チェックシートを抽出するのであるが、浄化槽設置届出書に記載された内容だけでは分からない項目がある。例えば、浄化槽に付設するブロワ、スクリーン、破砕機、ポンプ等の細かな機器類のメーカ、型式、台数等は、浄化槽設置届出書に記載されないため、現場に行った者でないと分からない。また、現場の状況により、設置時に追加になった槽（例えば、勾配が取れないため原水ポンプ槽や放流ポンプ槽を設けることがある。）なども現場に行かない限り分からない。
【００１６】
そのため、保守点検業者は、これらの機器類に関する情報については、浄化槽設置届出書に記載された情報からだけでなく、さらにその浄化槽を設置した浄化槽工事業者から直接これらの機器類等に関する情報を得るか、保守点検業者自らその浄化槽の設置現場に行って確認してから、浄化槽チェックシートを抽出しなければならない。
【００１７】
そのため、予め標準の浄化槽チェックシートを作成しておいても、その中から各浄化槽に応じた浄化槽チェックシートを抽出する作業は非常に困難な作業である。また、各浄化槽に用いられている設備や機器は細かいものまで入れると数百種類存在するため、浄化槽メーカや浄化槽工事業者などの複数の業者から浄化槽に関する情報を得て、これらの機器等を一つ一つ洗い出し、間違いなくその設置された浄化槽に適した浄化槽チェックシートを抽出することは難しい。
【００１８】
そこで、本発明においては、予め作成した標準の浄化槽チェックシートから各浄化槽に応じた浄化槽チェックシートを自動的に抽出し、簡単に各浄化槽用のチェックシートを作成して浄化槽を管理することが可能な浄化槽管理システムを提供することを目的とする。
【課題を解決するための手段】
【００１９】
本発明の浄化槽管理システムは、浄化槽工事業者用コンピュータおよび浄化槽管理業者用コンピュータからなり、浄化槽工事業者用コンピュータは、設置する浄化槽に関するメーカ、型式、認定番号、槽個別容量、ブロワ、スクリーン、破砕機、ポンプを含む浄化槽情報を入力する手段、入力された浄化槽情報を記憶する手段、記憶された浄化槽情報を出力する手段を備え、浄化槽管理業者用コンピュータは、浄化槽およびこれに付設するブロワ、スクリーン、破砕機、ポンプを含む機器類ごとにそれぞれ作成された標準の浄化槽チェックシートを蓄積する手段、浄化槽工事業者用コンピュータにより出力された浄化槽情報を取得する手段、取得した浄化槽情報に基づいて標準の浄化槽チェックシートから該当する浄化槽のチェックシートを抽出する手段、抽出された浄化槽チェックシートを出力する手段を備えたことを特徴とする。
【００２０】
本発明の浄化槽管理システムでは、浄化槽工事業者が、浄化槽を設置する際、その設置する浄化槽に関するメーカ、型式、認定番号、槽個別容量、ブロワ、スクリーン、破砕機、ポンプを含む浄化槽情報を浄化槽工事業者用コンピュータに入力する。これらの入力された浄化槽情報が浄化槽工事業者用コンピュータから出力され、浄化槽を管理する管理業者の浄化槽管理業者用コンピュータによって取得される。浄化槽管理業者用コンピュータでは、この取得した浄化槽情報に含まれるメーカ、型式、認定番号の情報に加えて、槽個別容量およびブロワ、スクリーン、破砕機、ポンプを含む機器類の情報に基づいて、浄化槽およびこれに付設するブロワ、スクリーン、破砕機、ポンプを含む機器類ごとにそれぞれ作成された標準の浄化槽チェックシートから該当する浄化槽のチェックシートが抽出され、出力される。
【００２１】
浄化槽工事業者用コンピュータは、浄化槽情報に基づいて浄化槽設置届出書を作成し、浄化槽管理業者用コンピュータへ転送する手段を備えたものとするのが望ましい。これにより、浄化槽工事業者用コンピュータにより入力された浄化槽情報に基づいて、浄化槽工事業者用コンピュータにより浄化槽設置届出書が作成され、浄化槽管理業者用コンピュータへ転送される。転送された浄化槽設置届出書は、浄化槽管理業者用コンピュータにより画面上または用紙上に出力される。
【００２２】
浄化槽管理業者用コンピュータは、浄化槽工事業者用コンピュータにより転送された浄化槽設置届出書に認証済みの情報を付加して浄化槽工事業者用コンピュータへ返送する手段を備えたものとするのが望ましい。これにより、浄化槽設置届出書が浄化槽管理業者用コンピュータの画面上に出力された場合、浄化槽管理業者は画面上でその内容を確認し、認証した後、認証済みの情報を付加して浄化槽管理業者用コンピュータから浄化槽工事業者用コンピュータへ返送することができる。なお、浄化槽設置届出書が用紙上に出力された場合、浄化槽管理業者は用紙上でその内容を確認した後、認証済みとして印鑑を押印し、浄化槽工事業者へ郵便等にて返送することができる。
【発明の効果】
【００２３】
（１）浄化槽工事業者用コンピュータが、設置する浄化槽に関するメーカ、型式、認定番号、槽個別容量、ブロワ、スクリーン、破砕機、ポンプを含む浄化槽情報を入力する手段、入力された浄化槽情報を記憶する手段、記憶された浄化槽情報を出力する手段を備え、浄化槽管理業者用コンピュータが、浄化槽およびこれに付設するブロワ、スクリーン、破砕機、ポンプを含む機器類ごとにそれぞれ作成された標準の浄化槽チェックシートを蓄積する手段、浄化槽工事業者用コンピュータにより出力された浄化槽情報を取得する手段、取得した浄化槽情報に基づいて標準の浄化槽チェックシートから該当する浄化槽のチェックシートを抽出する手段、抽出された浄化槽チェックシートを出力する手段を備えたことにより、浄化槽工事業者が浄化槽を設置する際、浄化槽工事業者用コンピュータにより、この設置する浄化槽に関するメーカ、型式、認定番号に加えて、槽個別容量および現場で設置したブロワ、スクリーン、破砕機、ポンプを含む浄化槽情報を入力することで、この浄化槽の管理業者は、設置現場に行って確認することなく、各浄化槽に応じた浄化槽チェックシートを得て、この浄化槽チェックシートに基づいて浄化槽を管理することが可能となる。
【００２４】
（２）浄化槽工事業者用コンピュータが、浄化槽情報に基づいて浄化槽設置届出書を作成し、浄化槽管理業者用コンピュータへ転送する手段を備えたことにより、浄化槽工事業者用コンピュータにより入力された浄化槽情報に基づいて、浄化槽管理業者用コンピュータにより浄化槽設置届出書が作成され、浄化槽管理業者用コンピュータへ転送されるので、浄化槽管理業者側においてこの転送された浄化槽設置届出書を画面上または用紙上へ出力し、画面上で認証するか、用紙上で認証して印鑑を押印するかして、浄化槽工事業者へ返送することができる。これにより、浄化槽工事業者は、行政機関に届け出る前に浄化槽設置届出書を作成して浄化槽管理業者の所へ書類を回す必要がなく、浄化槽管理業者から届けられた認証済みの情報が付加された浄化槽設置届出書または押印済みの浄化槽設置届出書を行政機関に提出することができる。
【発明を実施するための最良の形態】
【００２５】
図１は本発明の実施の形態における浄化槽管理システムの構成図である。
【００２６】
図１において、浄化槽工事業者（以下、「工事業者」と称す。）は、工事業者コンピュータ１を使用する。また、浄化槽管理業者（以下、「管理業者」と称す。）は、管理業者用コンピュータ２を使用する。工事業者コンピュータ１および管理業者用コンピュータ２は、公知のコンピュータと同様に、キーボードやポインティングデバイス等の入力装置、ディスプレイ等の表示装置、メモリやハードディスクドライブ等の記憶装置、フレキシブルディスクやフラッシュメモリ等の外部記憶装置、電気通信回線を介して相互通信を行うための通信装置等のハードウェアを備える。
【００２７】
工事業者は、浄化槽のメーカＡから浄化槽本体およびこれに付属する機器類の商品提供を受けて、浄化槽の設置を行う。このとき、工事業者は、浄化槽のメーカＡとの間で浄化槽に関する情報交換を行い、その他この浄化槽に付設するブロワ、スクリーン、破砕機、ポンプ等の機器類の商品をそれぞれのメーカＢ等から仕入れて設置する。また、工事業者は、現場の状況に応じて原水ポンプ槽や放流ポンプ槽などを各メーカＣ等から仕入れて設置する。
【００２８】
従来であれば、ここで工事業者は、所定の様式の浄化槽設置届出書を作成するが、本実施形態における浄化槽管理システムを用いる場合は作成する必要がない。その代わり、工事業者は、工事業者用コンピュータ１によって、浄化槽を設置する顧客名、顧客住所、設置住所、電話番号に関する情報（以下、「顧客情報」と称す。）および設置する浄化槽に関する情報（以下、「浄化槽情報」と称す。）を入力する。入力は、この工事業者用コンピュータ１に備えた入力装置により行う。
【００２９】
工事業者用コンピュータ１に入力する浄化槽情報は、設置する浄化槽のメーカ、販売元、型式、認定番号、製造番号、型式適合認定番号、処理対象、建築物用途、全容量、処理人数、処理人槽、建築物面積、実使用人数、平均汚水量、ＢＯＤ（生物化学的酸素要求量）除去率、放流水中のＢＯＤ、放流水中のＳＳ（浮遊物質量）、放流水中のＣＯＤ（化学的酸素要求量）、放流水中のＴ−Ｎ（全窒素）、放流水中のＴ−Ｐ（全リン）、放流水中のｎ−Ｈｅｘ（ｎ−ヘキサン抽出物質）、放流先、３次処理装置の有無、処理方式、移流方式、施工業者、清掃業者、槽個別容量、ブロワ、スクリーン、破砕機、ポンプ等に関する情報である。
【００３０】
工事業者用コンピュータ１に入力されたこれらの浄化槽情報は、工事業者用コンピュータ１の記憶装置に記憶される。また、この記憶装置に記憶された浄化槽情報は、表示装置、外部記憶装置や通信装置に対して出力される。工事業者用コンピュータ１から管理業者用コンピュータ２へ浄化槽情報を受け渡す場合、外部記憶装置や通信装置を介して行われる。また、工事業者用コンピュータ１は、入力されたこれらの浄化槽情報に基づいて浄化槽設置届出書を作成し、管理業者用コンピュータ２へ転送する。
【００３１】
浄化槽設置届出書には、浄化槽の設置場所の地名地番、浄化槽本体の種類（メーカ、型式、認定番号）、処理対象（し尿、雑排水）、建築物の用途および延べ面積、処理対象人員、処理能力（日平均汚水量、ＢＯＤ除去率、放流水中のＢＯＤ）、放流先または放流方法（側溝、河川、湖沼、海域、その他）、浄化槽工事業者（氏名または名称、知事登録・届出番号、電話番号）、着工予定日、使用開始予定日、その特記すべき事項等が記載されている。また、この浄化槽設置届出書には、添付書類として、配管図および建築物各階平面図、浄化槽構造図、給排水配管図、設計計算書、型式認定を受けた浄化槽以外にあっては処理工程図および仕様書（容量計算、配筋計算、シーケンス図含む。）、その他保健所長が必要と認める書類等が添付される。さらに、この浄化槽設置届出書には、助成金申請のための添付書類として付近の見取り図、住宅平面図（配管図を含む。）、浄化槽設置届出書および受理書の写し、工事請負契約書の写し、誓約書、浄化槽設備士免状または修了証書の写し、浄化槽認定シート、登録書の写し、縦断図、その他必要書類、浄化槽法定検査依頼書（法第７条）および領収書の写し、チェックリストや、工事写真集等を添付することもできる。
【００３２】
管理業者用コンピュータ２は、この工事業者用コンピュータ２により出力された浄化槽情報を、外部記憶装置から読み出すか、通信装置により受信することにより取得する。また、管理業者用コンピュータ２には、予め、浄化槽およびこれに付設するブロワ、スクリーン、破砕機、ポンプを含む機器類ごとにそれぞれ作成された標準の浄化槽チェックシートが記憶装置や外部記憶装置等に構築されたデータベースに蓄積されている。
【００３３】
管理業者用コンピュータ２は、取得した浄化槽情報に基づいてデータベースに蓄積された標準の浄化槽チェックシートから該当する浄化槽チェックシートを抽出する機能を有する。通常、管理業者用コンピュータ２は、浄化槽のメーカ、型式、認定番号等を受信した際、これらの情報に基づいてその浄化槽に一致する浄化槽チェックシートを作成する（例えば、繊維強化プラスチック（ＦＲＰ）製の浄化槽の場合、メーカ、型式、認定番号等により槽の構造、槽の配列、槽の機能が決まっている。）。
【００３４】
また、管理業者用コンピュータ２は、設置する浄化槽に付設するブロワ、スクリーン、破砕機、ポンプ等の機器類、また、現場の状況により、設置時に追加になった槽等に関する浄化槽チェックシートを、工事業者用コンピュータ１により入力され、取得した浄化槽情報に含まれる槽個別容量、ブロワ、スクリーン、破砕機、ポンプ等に関する情報に基づいて、データベースに蓄積された標準の浄化槽チェックシートから抽出する。
【００３５】
また、管理業者用コンピュータ２は、上述のように抽出された浄化槽チェックシートを、モバイル計算機や携帯用入出力端末等に出力する機能を備える。管理業者は、浄化槽の点検、保守、検査、清掃などを行う際、このように抽出された浄化槽チェックシートをモバイル計算機や携帯用入出力端末等に取得して持って行き、この浄化槽チェックシートに従って点検等の管理を行うことができる。
【００３６】
また、管理業者用コンピュータ２は、工事業者用コンピュータ１から転送された浄化槽設置届出書およびその添付書類を画面上または用紙上へ出力する機能を備える。管理業者は、この転送された浄化槽設置届出書を管理業者用コンピュータ２の画面上に出力した場合、画面上でその内容を確認し、認証した後、認証済みの情報を付加して管理業者用コンピュータ２から工事業者用コンピュータ１へ返送する。あるいは、この転送された浄化槽設置届出書を用紙上に出力した場合、管理業者は、用紙上でその内容を確認した後、認証済みとして印鑑を押印して浄化槽工事業者へ郵便等にて返送する。
【００３７】
以上のように、本実施形態における浄化槽管理システムによれば、工事業者が浄化槽を設置する際、工事業者用コンピュータ１により、この設置する浄化槽に関するメーカ、型式、認定番号に加えて、槽個別容量および現場で設置したブロワ、スクリーン、破砕機、ポンプを含む浄化槽情報を入力することで、この浄化槽の管理業者は、設置現場に行って確認することなく、各浄化槽に応じた浄化槽チェックシートを得て、この浄化槽チェックシートに基づいて浄化槽を管理することが可能である。
【００３８】
また、管理業者用コンピュータ２から浄化槽設置届出書が画面上または用紙上に出力されるので、この出力される浄化槽設置届出書を画面上で認証するか、用紙上で認証して印鑑を押印するかして、工事業者へ返送することができる。そのため、工事業者は、行政機関に届け出る前に浄化槽設置届出書を作成して管理業者の所へ書類を回す必要がなく、管理業者から届けられた認証済みの情報が付加された浄化槽設置届出書、または押印済みの浄化槽設置届出書を行政機関に提出することができる。
【産業上の利用可能性】
【００３９】
本発明の浄化槽管理システムは、個人住宅や地域に分散する施設等の浄化槽を巡回して点検や保守などを行い、またはこれらの浄化槽の検査や清掃などを行い、その場で報告書等の作成作業を行って管理するためのシステムとして有用である。
【図面の簡単な説明】
【００４０】
【図１】本発明の実施の形態における浄化槽管理システムの構成図である。
【図２】従来の浄化槽管理システムによる浄化槽チェックシートの作成について説明するための図であって、（ａ）は予め作成された標準浄化槽チェックシート、（ｂ）は（ａ）の標準浄化槽チェックシートから各浄化槽に応じて作成された浄化槽チェックシートを示す図である。
【符号の説明】
【００４１】
１  工事業者用コンピュータ
２  管理業者用コンピュータ
【図１】
2005279440.tif 000003
【図２】
2005279440.tif 000004